(57)【要約】【課題】情報処理装置に対して複数接続されたダウンロード先携帯端末装置の区別を容易にする。【解決手段】先ず、各携帯端末装置にユーザーによる設定変更が可能な名称情報を記憶させるようにする。そして、情報処理装置側では、接続された各携帯端末装置に記憶されている名称情報を取得すると共に、これら名称情報と各携帯端末装置とを対応づけるようにする。これにより、情報処理装置側においては、接続された各携帯端末装置に設定されている名称情報によってダウンロード先端末を表すことが可能となる。【選択図】　　　　図５
2004005181.tif 000002
【特許請求の範囲】
【請求項１】
少なくとも１以上の携帯端末装置と、上記１以上の携帯端末装置との間でデータ通信を行う情報処理装置とからなる情報処理システムであって、
上記携帯端末装置は、
操作入力に応じた設定変更が可能な名称情報を記憶する名称記憶手段を備え、
上記情報処理装置は、
上記携帯端末装置との間で通信が確立した場合に、上記名称記憶手段から上記名称情報を取得することのできる名称情報取得手段と、
上記名称情報取得手段により取得した名称情報を表示する表示手段と、
操作入力に応じて、上記表示手段により表示した上記名称情報のうちの１を選択する選択手段と、
上記選択手段により選択した上記名称情報に対応する上記携帯端末装置に対し、当該情報処理装置において記録されている所定のコンテンツデータを転送する転送手段とを備える、
ことを特徴とする情報処理システム。
【請求項２】
入力操作に応じて上記名称情報を設定する名称情報設定手段を上記携帯端末装置にさらに備える、
ことを特徴とする請求項１に記載の情報処理システム。
【請求項３】
入力操作に応じて上記名称情報を設定する名称情報設定手段を上記情報処理装置にさらに備える、
ことを特徴とする請求項１に記載の情報処理システム。
【請求項４】
上記名称情報取得手段は、
上記名称記憶手段に上記名称情報が記憶されていなかった場合、当該携帯端末装置の機種の別に関する情報を名称情報として取得する、
ことを特徴とする請求項１に記載の情報処理システム。
【請求項５】
上記名称情報取得手段は、
上記名称記憶手段に上記名称情報が記憶されていなかった場合、当該情報処理装置において予め用意される複数の名称情報のうちから、一の名称情報を選択し、これを取得する、
ことを特徴とする請求項１に記載の情報処理システム。
【請求項６】
上記名称情報取得手段は、
当該携帯端末装置から、当該携帯端末装置内に記憶されている過去にユーザー操作により入力設定された所定の情報を抽出し、これを名称情報として取得する、
ことを特徴とする請求項１に記載の情報処理システム。
【請求項７】
上記携帯端末装置は、
上記名称情報を表示する表示手段をさらに備えることを特徴とする請求項１に記載の情報処理システム。
【請求項８】
少なくとも１以上の携帯端末装置に対し、操作入力に応じた設定変更が可能な名称情報を記憶させる名称記憶処理と、
上記携帯端末装置との間で通信が確立した場合に、上記名称記憶処理により記憶された上記名称情報を取得する名称情報取得処理と、
上記名称情報取得処理により取得した名称情報を表示する表示処理と、
操作入力に応じて、上記表示処理により表示した上記名称情報のうちの１を選択する選択処理と、
上記選択処理により選択した上記名称情報に対応する上記携帯端末装置に対し、当該情報処理装置において記録されている所定のコンテンツデータを転送する転送処理と、
を実行することを特徴とする情報処理方法。
【請求項９】
少なくとも１以上の携帯端末装置との間でデータ通信を行う情報処理装置であって、
上記携帯端末装置との間で通信が確立した場合に、上記携帯端末装置に記憶されている操作入力に応じた設定変更が可能な名称情報を取得することができる名称情報取得手段と、
上記名称情報取得手段により取得した名称情報を表示する表示手段と、
操作入力に応じて、上記表示手段により表示した上記名称情報のうちの１を選択する選択手段と、
上記選択手段により選択した上記名称情報に対応する上記携帯端末装置に対し、当該情報処理装置において記録されている所定のコンテンツデータを転送する転送手段と、
を備えることを特徴とする情報処理装置。
【請求項１０】
情報処理装置との間におけるデータ通信を可能とする通信手段と、
当該携帯端末装置毎に１つのみ付され、操作入力に応じた設定変更が可能な名称情報を記憶する名称記憶手段と、
上記情報処理装置からの要求に応じ、上記名称記憶手段に記憶されている上記名称情報を上記情報処理装置に対して送信する名称情報送信手段と、
を備えることを特徴とする携帯端末装置。
【請求項１１】
少なくとも１以上の携帯端末装置との間でデータ通信を行う情報処理装置に実行させるプログラムであって、
上記携帯端末装置との間で通信が確立した場合に、上記携帯端末装置に記憶されている操作入力に応じた設定変更が可能な名称情報を取得する名称情報取得処理と、
上記名称情報取得処理により取得した名称情報を表示する表示処理と、
操作入力に応じて、上記表示処理により表示した上記名称情報のうちの１を選択する選択処理と、
上記選択処理により選択した上記名称情報に対応する上記携帯端末装置に対し、当該情報処理装置において記録されている所定のコンテンツデータを転送する転送処理と、
を実行させることを特徴とするプログラム。
【請求項１２】
情報処理装置との間でデータ通信を行う携帯端末装置に実行させるプログラムであって、
当該携帯端末装置毎に１つのみ付され、操作入力に応じた設定変更が可能な名称情報を記憶する名称記憶処理と、
上記情報処理装置からの要求に応じ、上記名称記憶処理により記憶した上記名称情報を上記情報処理装置に対して送信する名称情報送信処理と、
を実行させることを特徴とするプログラム。
【請求項１３】
少なくとも１以上の携帯端末装置との間でデータ通信を行う情報処理装置に実行させるプログラムを記録した記録媒体であって、
上記携帯端末装置との間で通信が確立した場合に、上記携帯端末装置に記憶されている操作入力に応じた設定変更が可能な名称情報を取得する名称情報取得処理と、
上記名称情報取得処理により取得した名称情報を表示する表示処理と、
操作入力に応じて、上記表示処理により表示した上記名称情報のうちの１を選択する選択処理と、
上記選択処理により選択した上記名称情報に対応する上記携帯端末装置に対し、当該情報処理装置において記録されている所定のコンテンツデータを転送する転送処理と、
を実行させるプログラムを記録した記録媒体。
【請求項１４】
情報処理装置との間でデータ通信を行う携帯端末装置に実行させるプログラムを記録した記録媒体であって、
当該携帯端末装置毎に１つのみ付され、操作入力に応じた設定変更が可能な名称情報を記憶する名称記憶処理と、
上記情報処理装置からの要求に応じ、上記名称記憶処理により記憶した上記名称情報を上記情報処理装置に対して送信する名称情報送信処理と、
を実行させるプログラムを記録した記録媒体。
【発明の詳細な説明】
【０００１】
【発明の属する技術分野】
本発明は、情報処理装置と１以上の携帯端末装置とからなる情報処理システム、及び上記情報処理装置、及び上記携帯端末装置、及び上記情報処理システムにおける情報処理方法、及び上記情報処理装置並びに上記携帯端末装置が実行するプログラム、及びこれらプログラムを記録した記録媒体に関する。
【０００２】
【従来の技術】
従来より、音楽データを記録・再生することができる携帯機器として、例えばＭＤ（Ｍｉｎｉ　Ｄｉｓｋ）プレイヤ等が広く普及している。また、従来では、このような携帯機器として、音楽データの記録・再生が可能な携帯電話やＰＤＡ（Ｐｅｒｓｏｎａｌ　Ｄｉｇｉｔａｌ　Ａｓｓｉｓｔａｎｔ）も一般的に普及している。
【０００３】
上記したような携帯機器のうち、例えばＰＤＡや携帯電話によって音楽データを記録する場合は、パーソナルコンピュータのハードディスク内に保存されている音楽データをダウンロードするという記録形態が可能である。
また、ＭＤプレイヤとしても、近年においては、例えばＵＳＢ（Ｕｎｉｖｅｒｓａｌ　Ｓｅｒｉａｌ　Ｂｕｓ）等のインターフェイスを備えるものが一般に普及しており、パーソナルコンピュータから音楽データをダウンロードすることが可能となっている。
【０００４】
ここで、先に述べたようにして、従来より音楽データの記録・再生が可能とされる様々な携帯機器が普及していることにより、近年ではこのような携帯機器をユーザーが一人で複数台保有するということが想定されるようになってきている。
このようにユーザーが一人で複数台の携帯機器を保有するようになった場合、上記のようにパーソナルコンピュータからのデータのダウンロードを行う際には、１台のパーソナルコンピュータに対して端末が複数台同時に接続されることが考えられる。
また、或いは、例えば家族で１台のパーソナルコンピュータを共有している場合も、同様に、各自が所有している端末がパーソナルコンピュータに対して同時に接続されるという場合が考えられる。
【０００５】
現状において、このようにパーソナルコンピュータに対して複数の携帯端末装置が同時に接続された場合は、パーソナルコンピュータのダウンロードアプリケーション上では、各携帯端末装置に設定されたデフォルトの機種名称が表示されるのが一般的である。そして、これにより、ユーザーはデータのダウンロード先となる携帯端末装置を識別するようにされている。
【０００６】
【発明が解決しようとする課題】
しかしながら、このようにデータダウンロード時にアプリケーション上でデフォルトの機器名称のみが表示されることによっては、同時に接続されている携帯端末装置が同機種であった場合、ダウンロード先端末を区別することが困難となってしまう。
【０００７】
【課題を解決するための手段】
そこで、本発明では以上のような問題点に鑑み、少なくとも１以上の携帯端末装置と、上記１以上の携帯端末装置との間でデータ通信を行う情報処理装置とからなる情報処理システムとして、以下のように構成することとした。
すなわち、先ず、上記携帯端末装置としては、操作入力に応じた設定変更が可能な名称情報を記憶する名称記憶手段を備えるようにし、
また、上記情報処理装置としては、
上記携帯端末装置との間で通信が確立した場合に、上記名称記憶手段から上記名称情報を取得する名称情報取得手段と、上記名称情報取得手段により取得した名称情報を表示する表示手段と、操作入力に応じて、上記表示手段により表示した上記名称情報のうちの１を選択する選択手段と、上記選択手段により選択した上記名称情報に対応する上記携帯端末装置に対し、当該情報処理装置において記録されている所定のコンテンツデータを転送する転送手段とを備えるようにした。
【０００８】
また、本発明では、情報処理方法として以下の各処理を実行することとした
すなわち、少なくとも１以上の携帯端末装置に対し、操作入力に応じた設定変更が可能な名称情報を記憶させる名称記憶処理と、上記携帯端末装置との間で通信が確立した場合に、上記名称記憶処理により記憶された上記名称情報を取得する名称情報取得処理と、上記名称情報取得処理により取得した名称情報を表示する表示処理と、操作入力に応じて、上記表示処理により表示した上記名称情報のうちの１を選択する選択処理と、上記選択処理により選択した上記名称情報に対応する上記携帯端末装置に対し、当該情報処理装置において記録されている所定のコンテンツデータを転送する転送処理とを実行するようにした。
【０００９】
さらに、本発明では、少なくとも１以上の携帯端末装置との間でデータ通信を行う情報処理装置として、以下のように構成することとした。
すなわち、上記携帯端末装置との間で通信が確立した場合に、上記携帯端末装置に記憶されている操作入力に応じた設定変更が可能な名称情報を取得する名称情報取得手段と、上記名称情報取得手段により取得した名称情報を表示する表示手段と、操作入力に応じて、上記表示手段により表示した上記名称情報のうちの１を選択する選択手段と、上記選択手段により選択した上記名称情報に対応する上記携帯端末装置に対し、当該情報処理装置において記録されている所定のコンテンツデータを転送する転送手段とを備えるようにした。
【００１０】
また、本発明では、携帯端末装置として以下のように構成することとした。
すなわち、情報処理装置との間におけるデータ通信を可能とする通信手段と、当該携帯端末装置毎に１つのみ付され、操作入力に応じた設定変更が可能な名称情報を記憶する名称記憶手段と、上記情報処理装置からの要求に応じ、上記名称記憶手段に記憶されている上記名称情報を上記情報処理装置に対して送信する名称情報送信手段とを備えるようにした。
【００１１】
さらに、本発明では、少なくとも１以上の携帯端末装置との間でデータ通信を行う情報処理装置に実行させるプログラムとして、以下のようにすることとした。
すなわち、上記携帯端末装置との間で通信が確立した場合に、上記１以上の携帯端末装置に記憶されている操作入力に応じた設定変更が可能な名称情報を取得する名称情報取得処理と、上記名称情報取得処理により取得した名称情報を表示する表示処理と、操作入力に応じて、上記表示処理により表示した上記名称情報のうちの１を選択する選択処理と、上記選択処理により選択した上記名称情報に対応する上記携帯端末装置に対し、当該情報処理装置において記録されている所定のコンテンツデータを転送する転送処理とを実行させるようにした。
【００１２】
また、本発明では、情報処理装置との間でデータ通信を行う携帯端末装置に実行させるプログラムとして、以下のようにすることとした。
すなわち、当該携帯端末装置毎に１つのみ付され、操作入力に応じた設定変更が可能な名称情報を記憶する名称記憶処理と、上記情報処理装置からの要求に応じ、上記名称記憶処理により記憶した上記名称情報を上記情報処理装置に対して送信する名称情報送信処理とを実行させるようにした。
【００１３】
さらに、本発明では、少なくとも１以上の携帯端末装置との間でデータ通信を行う情報処理装置に実行させるプログラムを記録した記録媒体として、以下のようにすることとした。
すなわち、上記携帯端末装置との間で通信が確立した場合に、上記携帯端末装置に記憶されている操作入力に応じた設定変更が可能な名称情報を取得する名称情報取得処理と、上記名称情報取得処理により取得した名称情報を表示する表示処理と、操作入力に応じて、上記表示処理により表示した上記名称情報のうちの１を選択する選択処理と、上記選択処理により選択した上記名称情報に対応する上記携帯端末装置に対し、当該情報処理装置において記録されている所定のコンテンツデータを転送する転送処理とを実行させるプログラムを記録するようにした。
【００１４】
また、本発明では、情報処理装置との間でデータ通信を行う携帯端末装置に実行させるプログラムを記録した記録媒体として、以下のようにすることとした。すなわち、当該携帯端末装置毎に１つのみ付され、操作入力に応じた設定変更が可能な名称情報を記憶する名称記憶処理と、上記情報処理装置からの要求に応じ、上記名称記憶処理により記憶した上記名称情報を上記情報処理装置に対して送信する名称情報送信処理とを実行させるプログラムを記録するようにした。
【００１５】
上記のようにすることで、各携帯端末装置では、ユーザーによる設定変更が可能な名称情報が記憶されるようになる。そして、上記情報処理装置では、これら名称情報が各携帯端末装置から取得され、それぞれの名称情報と各携帯端末装置との対応づけが行われるようになる。
これにより、上記情報処理装置においては、各携帯端末装置の別をそれぞれに設定されている名称情報の別によって表すことができるようになる。
【００１６】
【発明の実施の形態】
以下、本実施の形態の情報処理システムについて説明する。説明は以下の順序で行う。
１．情報処理システムの概要
２．情報処理装置の構成例
３．携帯端末装置の構成例
４．名称情報入力処理
５．ダウンロード処理
【００１７】
１．情報処理システムの概要
図１に本実施の形態としての情報処理システムの概要を示す。
この図では、本実施の形態の情報処理システムが、情報処理装置としてのパーソナルコンピュータ１に対し、携帯端末装置としての記録再生装置２０、及び記録再生装置２０、携帯電話４０、ＰＤＡ（Ｐｅｒｓｏｎａｌ　Ｄｉｇｉｔａｌ　Ａｓｓｉｓｔａｎｔ）５０のそれぞれが通信ケーブルを介して接続されることにより構成される場合が示されている。
【００１８】
先ず、本実施の形態の情報処理システムにおいて、上記記録再生装置２０、２０、携帯電話４０、ＰＤＡ５０のそれぞれは、単体でユーザーの入力操作に応じて設定した１つの名称情報を記憶しておくことができるように構成されている。一方、パーソナルコンピュータ１側では、ユーザーによりダウンロードアプリケーションが起動されるのに応じて、このように各携帯端末装置に設定された名称情報を取得するようにされ、これら取得した名称情報とそれぞれの携帯端末装置とが対応づけられるようになる。
そして、このように名称情報とそれぞれの携帯端末装置とが対応づけられた上で、上記ダウンロードアプリケーション上では、各携帯端末が名称情報によって表されるようになり、ユーザーはこれら名称情報の別によってダウンロード先となる携帯端末装置を選択することが可能となる。
【００１９】
２．情報処理装置の構成例
図２は、上記情報処理システムを構成する情報処理装置としてのパーソナルコンピュータ１の構成例を示すブロック図である。
先ず、本実施の形態で用いるパーソナルコンピュータとしては、外部機器とのデータ通信を行うためのインターフェイスとして、図示するように４つのＵＳＢ（Ｕｎｉｖｅｒｓａｌ　Ｓｅｒｉａｌ　Ｂｕｓ）インターフェイス１０ａ〜１０ｄを備えている。そして、これらＵＳＢインターフェイス１０ａ〜１０ｄは、図のように当該パーソナルコンピュータ１内部に備えられる内部データバスと接続される。
本実施の形態のパーソナルコンピュータ１では、これらＵＳＢインターフェイス１０ａ〜１０ｄを介することにより、上記したそれぞれの携帯端末装置（記録再生装置２０、２０、携帯電話４０、ＰＤＡ５０）とのデータ通信が可能とされる。
【００２０】
上記内部データバスには、図示するようにＲＯＭ２、ＲＡＭ３、ＣＰＵ４、入出力インターフェイス６が接続されている。
ＲＯＭ２は、例えばファームウェアとしてＣＰＵ４に各種処理を実行させるためのプログラムが格納されている。そして、ＲＡＭ３にはＣＰＵ４が各種処理を実行するのに必要なデータやプログラム等が適宜保持される。
ＣＰＵ４は、例えば上述したＲＯＭ２や、後述するハードディスクドライブ５内に保持されているプログラムに従って各種処理を実行する。
【００２１】
入出力インターフェイス６には、キーボード７とマウス８が接続されており、これらから供給された操作信号をＣＰＵ４に出力するようにされている。また、この入出力インターフェイス６には、ディスプレイ９が接続されており、画像表示が可能とされる。
【００２２】
また、上記内部データバスには、記録媒体としてのハードディスクドライブ５が接続されている。このハードディスクドライブ５と上記したＣＰＵ４が、内部データバスを介して接続されることにより、ＣＰＵ４は、ハードディスクドライブ５に対するデータファイルやプログラム等の記録、又は読み出しを行うことができるようにされている。
【００２３】
本実施の形態の場合、このハードディスクドライブ５内には、図示するようにダウンロードアプリケーション５ａが格納される。
このダウンロードアプリケーション５ａは、ＵＳＢインターフェイス１０ａ〜１０ｄを介して接続された携帯端末装置に対し、図のようにハードディスク５内に記録されている楽曲データ５ｂのダウンロードを行う際にＣＰＵ４が実行すべきプログラムから成る。すなわち、パーソナルコンピュータ１が本実施の形態としての動作を実行するためには、このダウンロードアプリケーション５ａがあらかじめインストールされている必要がある。
【００２４】
３．携帯端末装置の構成例
本発明の携帯端末装置としては、例えば図１に示したように記録再生装置２０、携帯電話４０、ＰＤＡ５０を挙げることができる。ここでは、この携帯端末装置の説明をするにあたり、記録再生装置２０を例に挙げることとする。
図３は、記録再生装置２０内部の構成例を示すブロック図である。
この図に示す記録再生装置２０は、光磁気ディスクであるミニディスクに対して圧縮オーディオデータを記録再生可能なミニディスクレコーダとしての構成を有する。そして、その上で、上記パーソナルコンピュータ１とのデータ通信が可能となるよう、図のようにＵＳＢインターフェイス２１を備えるようにされている。すなわち、この記録再生装置２０は、通常の記録／再生動作に加え、パーソナルコンピュータ１のハードディスクドライブ５内に保持されているデータをダウンロードし、これをミニディスクに記録することができるようにも構成されているものである。
なお、この図３においては、ミニディスクに対する記録再生データの処理系、及び上記パーソナルコンピュータ１との間の認証処理やデータ転送に対する処理系のみを示し、ミニディスクに対する駆動系、サーボ系、再生出力系等は通常のミニディスク記録再生装置と同様であるため詳しい図示を省略している。
【００２５】
先ず、この図において、暗号化／復号化・認証処理部２２は、上記ＵＳＢインターフェイス２１を介した接続確立時において、パーソナルコンピュータ１との間で所定の認証処理を行う。
また、この暗号化／復号化・認証処理部２２は、所要の方式により暗号化された状態で伝送されてくる、パーソナルコンピュータ１からの受信データについての復号化処理を行う。さらに、この暗号化／復号化・認証処理部２２は、パーソナルコンピュータ１への送信データを、ＵＳＢ伝送路上で暗号化して転送するための所要の方式による暗号化処理を行う。
【００２６】
システムコントローラ２３は記録再生装置２０の全体制御を行う。具体的には、ミニディスクに対する記録再生のために、回転駆動、スピンドルサーボ、フォーカスサーボ、トラッキングサーボ、スレッドサーボなどの制御、光学ヘッド／磁気ヘッドのレーザ光や磁界印加動作の制御、記録再生データのエンコード／デコード処理の制御などを行う。また、パーソナルコンピュータ１との間の認証のための通信やデータ生成の指示や、パーソナルコンピュータ１からの各種コマンドのやりとり、送信されてくる楽曲データ等に対する処理などの制御も行う。
また、このシステムコントローラ２３は、ユーザーインターフェースとして設けられる操作部２５に対する操作に応じた処理や、表示部２６の表示制御なども行う。
【００２７】
このシステムコントローラ２３に対しては、ＲＯＭ２３ａが設けられる。このＲＯＭ２３ａには、システムコントローラ２３が上記したような各種処理を実行するために必要なプログラムが格納される。
また、特に本実施の形態の場合は、このＲＯＭ２３ａには、後述するようにしてユーザーに当該記録再生装置２０に対する名称情報の入力を行わせる処理を実行するために必要なプログラムも格納される。
【００２８】
また、上記システムコントローラ２３に対しては、不揮発性メモリとされるＮＶＲＡＭ２４が備えられる。本実施の形態の場合、このＮＶＲＡＭ２４にはユーザーにより入力された名称情報等が保持されることとなる。
【００２９】
操作部２５には、ユーザー操作のための各種操作子として、操作キーやジョグダイヤルなどが形成される。ユーザーは記録・再生のための所要の動作を操作部２５を操作して指示する。そして、システムコントローラ２３は操作部２５によって入力された操作情報に基づいて所定の制御処理を行う。
本実施の形態の場合、ユーザーはこれら操作キー及びジョグダイヤルを操作することにより、当該記録再生装置２０に対する名称情報の入力も行うことができるようにされている。
【００３０】
表示部２６は、システムコントローラ２３の制御に基づいて、ユーザーに対して提示すべき各種情報の表示を行う。例えば動作状態、モード状態、楽曲等のトラックネームに関する情報、トラックナンバ、時間情報、その他の情報表示を行う。
【００３１】
ＡＴＲＡＣエンコード／デコード部２７は、図示する入力端子Ｔｉｎから入力されるオーディオデータに対して、ＡＴＲＡＣ１（Ａｄａｐｔｉｖｅ　Ｔｒａｎｓｆｏｒｍ　Ａｃｏｕｓｔｉｃ　Ｃｏｒｄｉｎｇ）方式、或いはＡＴＲＡＣ３方式によるデータ圧縮処理を行ってこれをバッファメモリ２８に対して出力する。また、このＡＴＲＡＣエンコード／デコード部２７は、ミニディスクから読み出されたＡＴＲＡＣ１方式、或いはＡＴＲＡＣ３方式による圧縮オーディオデータに対する伸長処理を行い、これにより生成されたオーディオデータを図示する出力端子Ｔｏｕｔに対して出力する。
【００３２】
バッファメモリ２８は、ミニディスクへのデータ記録時においては、上記入力Ｔｉｎから入力されＡＴＲＡＣエンコード／デコード部２７でにおいて生成されたＡＴＲＡＣ圧縮データを一時保持し、これをバッファリングする。或いはパーソナルコンピュータ１からＵＳＢインターフェイス２１を介して入力されるＡＴＲＡＣ圧縮データを一時保持し、これをバッファリングする。
また、さらにデータ再生時においては、記録／再生部３１により読み出されたデータを一時保持しバッファリングを行う。
メモリコントローラ２９は、システムコントローラ２３からの指示に基づいてバッファメモリ２８に対するデータの入出力を制御する。
【００３３】
ＥＦＭ処理部３０は、ミニディスクに対するデータ記録時に、入力されたＡＴＲＡＣ圧縮オーディオデータに対してＡＣＩＲＣエラー訂正符号のエンコード処理やＥＦＭ変調処理を行ってこれを記録／再生部３１に供給する。
またミニディスク再生時には、記録／再生部３１から読み出されて供給されてきたデータ（ＲＦ信号）に対し、二値化処理、ＥＦＭ復調、ＡＣＩＲＣ方式のエラー訂正処理などのデコード処理を行い、これをバッファメモリ２８に対して出力するようにされる。
【００３４】
記録／再生部３１は、光学ヘッド、磁気ヘッド、ディスク回転駆動系、サーボ系等が備えられ、装填されたミニディスクに対して実際にデータの記録／再生を行う。
【００３５】
なお、本実施の形態の携帯端末装置として用いられる携帯電話４０、及びＰＤＡ５０の構成としては、この図において説明した記録再生装置２０とほぼ共通する部位として、ＵＳＢインターフェイス２１，暗号化／復号化・認証処理部２２、システムコントローラ２３、ＲＯＭ２３ａ、ＮＶＲＡＭ２４、操作部２５、表示部２６と同等の機能を有する部位が備えられる。また、これに加え、これら携帯電話４０、ＰＤＡ５０には、少なくとも記録／再生部３１に相当する部位として、例えば固体メモリを内蔵したカード型の記録媒体（メモリカード）等のメディアについてのデータ記録／再生が可能な記録／再生部も備えられるものとする。
【００３６】
４．名称情報入力処理
上述もしたように、本実施の形態の情報処理システムにおいては、各携帯端末装置は、ユーザー操作に応じて入力された名称情報を保持することが可能とされている。そして、本実施の形態の場合、この名称情報の入力処理は、各携帯端末装置が単体で行うことができるようにされている。
【００３７】
図４は、各携帯端末装置において行われる名称情報入力処理の動作を示すフローチャートである。なお、この図では、記録再生装置２０において得られる名称情報入力処理動作のみを示し、他の携帯端末装置において得られる動作についてはこれとほぼ同様となることからここでの図示は省略している。
先ず、記録再生装置２０のシステムコントローラ２３は、図示するステップＳ１０１において、ユーザーによる所定操作の有無により、当該記録再生装置２０に対する名称情報の入力開始を監視する。
【００３８】
ユーザーによる名称情報の入力開始操作があった場合は、ステップＳ１０２において、表示部２６上に名称情報入力用の画面を表示させる。
そして、続くステップＳ１０３においては、ユーザーによる名称情報の入力操作を待機する。そして、ユーザーによる文字入力の操作があった場合は、表示部２６上にこの操作に応じた文字表示を行うようにする。
【００３９】
ステップＳ１０４においては、上記ステップＳ１０３で入力された文字を確定するための入力確定操作があったかを監視する。
そして、この入力確定操作があった場合は、ステップＳ１０５において、ステップＳ１０３における入力内容を名称データとしてＮＶＲＡＭ２４に記憶する処理を実行し、続くステップＳ１０６で図示するように処理動作を終了する。
【００４０】
５．ダウンロード処理
図２において説明したダウンロードアプリケーション５ａがパーソナルコンピュータ１に対してインストールされることにより、本実施の形態の情報処理システムにおいては、次の図５、図６に示すような処理動作が得られるようになる。
【００４１】
先ず、図５のフローチャートに、ダウンロードアプリケーション５ａ起動時において本実施の形態の情報処理システムで得られる処理動作を示す。なお、この図では、携帯端末装置側の処理動作として、記録再生装置２０において得られる処理動作のみを示しており、他の携帯端末装置において得られる動作についてはこの記録再生装置２０とほぼ同様となることから、ここでの図示を省略している。
また、この図においては、パーソナルコンピュータ１と各携帯端末装置とが、既にそれぞれのＵＳＢインターフェイスを介して接続されている状態にあるものとする。
【００４２】
先ず、パーソナルコンピュータ１のＣＰＵ４は、図示するステップＳ２０１において、ユーザーによりダウンロードアプリケーション５ａを起動する操作があったかを監視する。
ユーザーによるマウス８等を介した操作によって、このアプリケーションを起動する操作があった場合には、ステップＳ２０２においてダウンロードアプリケーション５ａを起動する。
【００４３】
続くステップＳ２０３においては、ＵＳＢインターフェイス１０ａ〜１０ｄを介して接続されている各携帯端末装置（記録再生装置２０、２０、携帯電話４０、ＰＤＡ５０）に対し、名称情報と、現在記録媒体に記録されている全ての楽曲データについてのトラックナンバやトラックネーム等を示すための管理情報（曲管理情報）とを送信するよう要求する。
そして、この処理を実行すると、続くステップＳ２０４において、各携帯端末装置からのこれら名称情報及び曲管理情報の受信の有無を監視するようにされる。
【００４４】
記録再生装置２０のシステムコントローラ２３は、上記名称情報及び曲管理情報の送信要求を、図示するステップＳ３０１において監視している。
そして、この送信要求があった場合には、ステップＳ３０２において名称情報、及び曲管理情報をＮＶＲＡＭ２４等から読み出し、これらをパーソナルコンピュータ１に対して送信する。
このステップＳ３０２の処理を実行すると、システムコントローラ２３は、後述する図６に示す処理動作に移行する。
なお、上記ステップＳ３０２においては、名称情報、曲管理情報と共に、従来と同様にして、端末内に記憶されている機種名称（カテゴリコード）に関する情報も送信されるものとする。
【００４５】
パーソナルコンピュータ１では、各携帯端末装置からの名称情報及び曲管理情報が受信されると、ステップＳ２０４において、受信されたそれぞれの名称情報と、この名称情報が受信されたそれぞれのＵＳＢインターフェイス１０ａ〜１０ｄに対して付されているエンドポイントアドレスとの対応づけを行う。
すなわち、接続確立時においてそれぞれのＵＳＢインターフェイス１０ａ〜１０ｄに付されるエンドポイントアドレスを参照することで、どの名称情報がどのＵＳＢインターフェイスにおいて受信されたかを認識しておくことにより、各携帯端末装置と名称情報との対応をパーソナルコンピュータ１側で把握しようとするものである。
【００４６】
このように名称情報とエンドポイントアドレスとの対応づけを行うと、続くステップＳ２０６においては、受信された各名称情報と曲管理情報との対応付けも行っておくようにされる。
【００４７】
続くステップＳ２０７においては、ユーザーに対してダウンロード先携帯端末装置を選択させるためのダウンロード先選択画面を作成し、これをディスプレイ９上に表示する処理を行う。
このステップＳ２０７で表示されるダウンロード先選択画面としては、例えば図８に示すように、「ダウンロード先を選択して下さい」等の表示と共に、各携帯端末装置に対応した名称情報を示し、これらの端末のうちから１の端末を選択させるための操作ボタンを表示するものとなる。
このようなダウンロード先選択画面が表示されることで、ユーザーは、例えばマウス８等を介して図示するカーソルを移動させて、所望の携帯端末装置に対応して表示されるボタンを選択・決定する操作を行うことで、ダウンロード先端末を選択することができる。
なお、接続された携帯端末装置のうち、名称情報が未設定である端末があった場合は、図示するようにこのボタンとして、例えば「名称未設定」と示したものを表示しておくようにする。勿論、この場合も、このような名称未設定端末に対応するボタン自体と、この名称未設定の端末が接続されているＵＳＢインターフェイスに対応するエンドポイントアドレスとの対応付けは行われるようにされる。
このステップＳ２０７の処理を実行すると、次の図６に示す処理動作に移行する。
【００４８】
続いて、図６には、本実施の形態の情報処理システムにおいて得られる楽曲データダウンロード時の処理動作を示す。
先ず、ＣＰＵ４は、図示するステップＳ４０１において、上記図５で説明したステップＳ２０７の処理により表示させたダウンロード先選択画面上における、名称を示すボタンの何れかへの選択操作を監視する。
【００４９】
ユーザーによる何れかのボタンに対する選択操作があった場合は、ステップＳ４０１において、選択されたボタンが名称未設定であったか否かを判別する。
選択されたボタンが名称未設定ではなかった場合は、ステップＳ４０３に進む。
選択されたボタンが名称未設定であった場合には、後述する図７の処理に進むようにされる。
【００５０】
ステップＳ４０３においては、選択されたボタンの名称に対応するダウンロードデータ選択画面をディスプレイ９上に表示する。
このステップＳ４０３の処理により表示されるダウンロードデータ選択画面としては、例えば図９（ａ）、図９（ｂ）に示すようになる。
【００５１】
先ず、図９（ａ）、図９（ｂ）に示すように、このダウンロードデータ選択画面には、上記ステップＳ４０１において選択されたボタンに対応する名称情報が表示される。例えば図８で示したダウンロード先選択画面上で、「太郎」が示されるボタンが選択された場合は、図９（ａ）に示すようにこの「太郎」の名称情報が示されたダウンロードデータ選択画面が表示される。これによりユーザーは「太郎」の名称が設定されている携帯端末装置を選択したことを確認できる。
また、このダウンロードデータ選択画面には、パーソナルコンピュータ１側からのダウンロードが可能な楽曲データの候補として、図２で説明したハードディスクドライブ５内に記録されている楽曲データ（楽曲データ５ｂ）のそれぞれのトラックネームが表示される。そして、これらの表示は、それぞれのトラックネームを示すと共に、これらをダウンロードデータとして選択するための操作ボタンとしても機能する。つまり、ユーザーは、これらトラックネームの表示のうちの所望するものに対し、マウス８等を操作して図示するカーソルカーソルを移動させることによって選択操作を行うことで、携帯端末装置側にダウンロードすべき楽曲データを決定することができるようにされている。
また、さらに図５のステップＳ２０４において受信した各携帯端末装置からの曲管理情報に基づいて、選択された携帯端末装置側に現在記録されている楽曲データのトラックナンバ及びトラックネームも表示される。
【００５２】
図６において、このようなダウンロードデータ選択画面をディスプレイ９上に表示させると、ステップＳ４０４においてユーザーによるダウンロードデータの選択操作を監視する。そして、ユーザーによるダウンロードデータの選択操作があった場合は、続くステップＳ４０５において、ユーザーによる選択操作に応じて、ダウンロードすべき楽曲データを設定する。
このようにダウンロードデータの設定を行うと、ステップＳ４０６において、ユーザーによりこれら選択したダウンロードデータを確定する操作があったかを監視する。
【００５３】
ダウンロードデータが確定された場合は、ステップＳ４０７において、ダウンロード先携帯端末装置に対し上記ステップＳ４０５で設定した楽曲データをダウンロードデータとして送信する。すなわち、このステップＳ４０７においては、先ず現在ダウンロード先として選択されている名称に対応づけられたエンドポイントアドレスを参照することにより、この名称が設定されている携帯端末装置がどのＵＳＢインターフェイスに接続されているかを判別する。そして、このＵＳＢインターフェイスに接続されている携帯端末装置に対し、選択された楽曲データを送信することで、選択された名称に対応する携帯端末装置に対して正確に楽曲データをダウンロードすることができるようになるものである。
【００５４】
このようにしてダウンロード先端末に対して楽曲データをダウンロードすると、ＣＰＵ４はステップＳ４０８において処理動作を終了する。
なお、この場合、実際の処理としては、再びディスプレイ９上に図８に示したダウンロード先選択画面を表示し、ユーザーによりさらなる楽曲データのダウンロードが指示されるのを待機するようにする。
【００５５】
記録再生装置２０側においては、上記ステップＳ４０６の処理により送信された楽曲データの受信の有無をステップＳ５０１において監視している。
パーソナルコンピュータ１から楽曲データが受信された場合は、ステップＳ５０２において、受信された楽曲データを図３で説明した記録／再生部３１によりミニディスクに記録させる。
そして、このように記録／再生部３１により楽曲データの記録を行うと、ステップＳ５０３において処理動作を終了する。
【００５６】
ここで、上記したステップＳ４０２において、ダウンロード先選択画面上でユーザーにより選択されたボタンが、上記のようにして名称が設定されたものではなく、名称未設定のものであった場合、ＣＰＵ４は図７に示すステップＳ６０１に進む。
このステップＳ６０１においては、図９（ｃ）に示すような名称未設定画面をディスプレイ９上に表示する。
この名称未設定画面では、上記ダウンロードデータ選択画面と同様、図示するようにパーソナルコンピュータ１側で保持しているダウンロード可能な楽曲データのそれぞれを示したトラックネームのボタン、及び対応する端末側に記録されている楽曲データのトラックナンバやトラックネームのリストが表示される。
そして、この場合は名称が未設定であるために、この名称未設定画面では、図のように名称情報の代わりに「名称未設定です」とのメッセージが表示される。また、さらにこの場合は、上記ダウンロードデータ選択画面とは異なり、図のようにユーザーが名称情報を入力することができる文字入力ボックスが表示される。
【００５７】
この場合、ユーザーは、例えばマウス８を操作することによって図示するカーソルを文字入力ボックス内に移動させ、ここでクリック操作を行うことにより、この文字入力ボックスをアクティブ状態とすることができる。そして、このように文字入力ボックスをアクティブにすることで、キーボード７等を介して名称情報の入力を行うことができる。
なお、このステップＳ６０１の処理においては、ユーザーに対して名称情報の入力を促すために、例えばアクティブ状態の文字入力ボックスと「名称を入力して下さい」等のメッセージとから成るダイアログボックスを別途表示するようにしてもよい。
【００５８】
続くステップＳ６０２においては、上記名称未設定画面上のダウンロード可能なトラックネームを示すボタンに対し、ユーザーによる選択操作があったか否かを判別する。
これらのボタンのうち、何れかのボタンに対する選択操作があった場合には、図６ステップＳ４０５に進み、以降は先に説明したようにしてダウンロードデータの選択／確定、及び対応する携帯端末装置に対する確定されたデータの送信等の処理を行う。
また、上記トラックネームを示したボタンに対する選択操作がなかった場合はステップＳ６０３に進む。
【００５９】
ステップＳ６０３においては、上記名称未設定画面に対して、ユーザーにより名称入力のための操作が行われたか否かの判別を行う。つまり、このステップＳ６０３においては、名称未設定画面上の文字入力ボックスを上記のようにしてアクティブにする操作があったか否かを判別するものである。
ユーザーによる名称入力操作がない場合は、図示するように再びステップＳ６０２においてダウンロードデータの選択操作の有無を監視するようにされる。つまり、これらステップＳ６０２及びステップＳ６０３の処理により、ユーザーによるダウンロードデータ選択操作、及び名称入力操作のいずれかが行われるのを待機するようにされる。
【００６０】
一方、名称入力操作があった場合は、ステップＳ６０４において、キーボード７等を介した名称入力操作をユーザーに行わせる。そして、続くステップＳ６０５においては、入力された名称情報を確定する操作が行われたかを監視する。
【００６１】
入力された名称情報を確定する操作があった場合は、ステップＳ６０６において、この名称情報と、当該携帯端末装置が現在接続されているＵＳＢインターフェイスに対応するエンドポイントアドレスとの対応づけを行う。つまり、この処理では、「名称未設定」と表示した端末に対応づけられていたエンドポイントアドレスが、今回入力された名称情報に対応づけられるようになる。
そして、続くステップＳ６０７においては、このエンドポイントアドレスを参照することにより、今回入力された名称情報を対応する携帯端末装置に対して送信する処理を行う。
【００６２】
このステップＳ６０７の処理により送信された名称情報は、記録再生装置２０側のステップＳ７０１において受信される。そして、このように受信された名称情報は、続くステップＳ７０２においてＮＶＲＡＭ２４に記憶される。
これにより、この記録再生装置２０においては、ユーザーにより入力された名称情報が設定されたことになる。
記録再生装置２０側では、このように受信した名称情報を記憶すると、図６に示すステップＳ５０１に進んでパーソナルコンピュータ１からのダウンロードデータの受信を監視するようにされる。
【００６３】
パーソナルコンピュータ１側では、上記のようにして名称情報の送信を行うと、続くステップＳ６０８において、この名称情報を示したダウンロードデータ選択画面をディスプレイ９上に表示する。
すなわち、上記ステップＳ６０４において入力された名称情報が、例えば「一郎」であった場合、ディスプレイ９上には、図９（ｃ）に示した背景画、及び音楽リストの内容はそのままとする設定内容が維持された上で、この「一郎」が示されたダウンロードデータ選択画面が表示される。
【００６４】
このようにして、今回入力された名称情報を示したダウンロードデータ選択画面をディスプレイ９上に表示すると、図６に示すステップＳ４０５に進み、以降は上記したようにしてダウンロードデータの選択／確定、及び対応する携帯端末装置に対する確定されたデータの送信等の処理を行うようにされる。
【００６５】
以上、本実施の形態としての情報処理システムについて説明した。
上述もしたように、本実施の形態の情報処理システムでは、記録再生装置２０、２０、携帯電話４０、ＰＤＡ５０のそれぞれにおいて、ユーザーの入力操作に応じて設定された１つの名称情報を記憶しておくようにされている。
そして、パーソナルコンピュータ１側では、ユーザー操作によりダウンロードアプリケーション５ａが起動されるのに応じて、各携帯端末装置に設定されている名称情報を送信させるようにし、このように送信させた名称情報とそれぞれの携帯端末装置との対応づけを行うようにされる。
これにより、パーソナルコンピュータ１側では、ディスプレイ９上において、接続されたそれぞれの携帯端末装置が名称別により表示されるようになり、ユーザーは、パーソナルコンピュータ１から携帯端末装置に対して楽曲データをダウンロードする際に、自ら設定した名称情報を元にしてダウンロード先端末を選択することができるようになる。
【００６６】
この結果、例えばパーソナルコンピュータ１に接続されている携帯端末装置のうちに同機種のものがあったとしても、ユーザーはこれらの端末を容易に区別することができるようになる。
【００６７】
また、このようにして、ダウンロード先端末毎に名称を設定することで各端末を区別することができる本実施の形態の情報処理システムは、１つのダウンロードアプリケーションで複数種の端末にデータダウンロード可能なアプリケーションに特に好適である。
【００６８】
また、本実施の形態では、情報処理システムにおいて上記してきた名称情報設定及びダウンロードの動作を実行させるためのプログラムが、パーソナルコンピュータ１ではハードディスクドライブ５内にダウンロードアプリケーション５ａとして格納され、また記憶再生装置２０ではＲＯＭ２３ａに格納される。そして、これにより、本発明の情報処理装置、及び情報処理システムが実現できる。
【００６９】
さらに、そのような本発明のプログラムが記録された本発明の記録媒体によれば、本発明を実現するプログラムの提供が容易となり、装置設計やシステム構築に好適である。
該プログラムを記録する記録媒体として、特にダウンロードアプリケーション５ａの場合は、フレキシブルディスク、ＣＤ−ＲＯＭ（Ｃｏｍｐａｃｔ　Ｄｉｓｃ　Ｒｅａｄ　Ｏｎｌｙ　Ｍｅｍｏｒｙ）、ＭＯ（Ｍａｇｎｅｔ　ｏｐｔｉｃａｌ）ディスク、ＤＶＤ（Ｄｉｇｉｔａｌ　Ｖｅｒｓａｔｉｌｅ　Ｄｉｓｃ）、磁気ディスク、半導体メモリなどのリムーバブル記録媒体に、一時的あるいは永続的に格納（記録）しておくことができる。このようなリムーバブル記録媒体は、いわゆるパッケージソフトウェアとして提供することができる。例えばＣＤ−ＲＯＭにより提供されることで、パーソナルコンピュータ１に備えられる例えばＣＤ−ＲＯＭディスクドライブにおいてこのプログラムを読み出し、ハードディスクドライブ５に格納するなどしてインストールできる。つまり上述してきたデータダウンロード処理を実行するパーソナルコンピュータを実現できるものとなる。
なお、該プログラムとしては、或いはダウンロードサイトから、ＬＡＮ（ＬｏｃａｌＡｒｅａ　Ｎｅｔｗｏｒｋ）、インターネットなどのネットワークを介してダウンロードすることもできる。
【００７０】
なお、本実施の形態では、情報処理システムを構成する情報処理装置として、パーソナルコンピュータ１を例に挙げたが、これに限定されるものではない。つまり、この情報処理装置としては、例えば携帯端末装置との通信を行うインターフェイス（例えばＵＳＢインターフェイス等）とＨＤＤ（ハードディスクドライブ）とを備え、記録したオーディオデータやビデオデータを携帯端末装置に対してダウンロードすることができる、所謂ホームサーバ装置とされてもよい。
また、或いは、携帯端末装置との通信を行うインターフェイス（例えばＵＳＢインターフェイス等）を備え、装填されたディスクに記録されているデータを外部電子機器に対してコピーすることができる、例えばＣＤ（Ｃｏｍｐａｃｔ　Ｄｉｓｋ）プレイヤ等のメディア記録／再生装置とされてもよい。
【００７１】
また、本実施の形態の情報処理システムにおいて、ユーザー操作によりダウンロード先端末が選択されるのに応じては、上述もしたようにディスプレイ９上に図９（ａ）、（ｂ）に示すようなダウンロードデータ選択画面が表示されるのであるが、このようにして表示されるダウンロードデータ選択画面に対しては、図示するような「表示画面の変更」ボタンをさらに設けるようにしてもよい。つまり、この「表示画面の変更」ボタンを設けることにより、ダウンロードデータ選択画面における背景画をユーザーにより選択設定することができるようにするものである。
このためには、先ずパーソナルコンピュータ１側において、ダウンロードアプリケーション５ａが処理可能なファイルとして、例えばハードディスクドライブ５内に背景画としての画像ファイルを複数用意しておく必要がある。そして、その上で、ユーザー操作により上記「表示画面の変更」ボタンが選択されるのに応じて、このように用意した背景画をディスプレイ９上に表示し、この中からユーザーに所望の背景画を選択・設定させる処理を行うようにする。
このようにすることで、ユーザーは、この画面表示の変更ボタンを選択して上記ダウンロードデータ選択画面の背景画を各名称ごとに選択・変更することが可能となる。つまり、ユーザーは、このように表示画面の変更ボタンが設けられることにより、このダウンロードデータ選択画面をカスタマイズすることができるようになる。
この結果、ユーザーはこのようにカスタマイズした表示画面を元に、ダウンロード先端末（名称）をより明確に区別することができるようになる。
【００７２】
また、本実施の形態では、ダウンロードアプリケーション５ａが起動するのに応じて、ディスプレイ９上にのみ名称情報を表示するようにしたが、これと共に、各携帯端末装置に備えられる表示部上にもそれぞれ名称情報を表示するようにしてもよい。
すなわち、パーソナルコンピュータ１側の処理として、例えばダウンロード先端末選択画面をディスプレイ９上に表示させるのと同時に、携帯端末装置側に名称を表示させる要求を行うようにさせ、これに応じ携帯端末装置側で各自の保持している名称情報を表示部に表示させるようにするものである。
このようにしてダウンロード先を選択する際に各携帯端末装置においても各自の名称情報が表示されることによって、ユーザーは、より確実に、且つ、より容易にダウンロード先端末を区別することが可能となる。
【００７３】
ここで、上記本実施の形態では、パーソナルコンピュータ１に接続された携帯端末装置のうち、名称未設定端末が１つのみである場合を例に挙げた。この場合であれば、その他の端末については全て名称情報が設定されていることにより、この端末を「名称未設定」という名称で区別することはできる。しかしながら、このような名称未設定端末が複数接続されていた場合、ユーザーはダウンロード先端末を区別するのが困難になる。
そこで、本実施の形態としては、これを防止すべく、以下のような変形例も可能としている。
【００７４】
先ず、第１の変形例としては、接続された携帯端末装置が名称未設定であった場合に、その携帯端末装置から送信されてくるカテゴリコード（機種名称）を表示するようにするものである。
すなわち、図５において説明したように、先ず、ステップＳ３０２において、携帯端末装置側からパーソナルコンピュータ１に対して、曲管理情報と共に端末の機種情報を示すカテゴリコードを送信させるようにする。そして、パーソナルコンピュータ１側では、このカテゴリコードを仮の名称としてダウンロード先選択画面を表示（Ｓ２０７）させ、また、この携帯端末装置が選択された際には、ダウンロードデータ選択画面として、このカテゴリコードを表示したものをディスプレイ９上に表示（図６ステップＳ４０３）させるようにするものである。
これにより、名称未設定である携帯端末装置をカテゴリコードの別により区別することができるようになる。
【００７５】
第２の変形例としては、予めパーソナルコンピュータ側で複数の名称情報を用意しておき、接続された携帯端末装置が名称未設定であった場合にこれを名称未設定端末に対して順次設定していくようにするものである。
すなわち、図５のステップＳ２０５の処理において、接続された名称未設定の端末に対応するエンドポイントアドレスに対して、予めハードディスクドライブ５内等に用意しておいた複数の名称情報のうち、所定規則に従って決定された名称情報を対応づけるようにする。そして、これと共に、このように決定された名称情報を、図７に示すステップＳ６０７の処理と同様にして携帯端末装置側に送信するようにし、これに応じて携帯端末装置側でこの名称情報をＮＶＲＡＭ２４などの不揮発性記憶媒体に記憶させるようにするものである。
この変形例によっては、予め用意された異なる名称情報が名称未設定端末に対して設定されるようになり、これにより、名称未設定である携帯端末装置が区別できるようになる。
なお、このようにしてハードディスクドライブ５内に用意される複数の名称情報としては、所定のデフォルトの名称が設定されていればよい。また、これらの名称情報としては、ユーザーの入力操作により任意の名称を設定できるようにしてもよいし、予め用意された内からユーザーにより選択されたものを設定するようにしてもよい。
【００７６】
また、本実施の形態では、他の変形例として以下のようにすることも可能である。
すなわち、この変形例としては、ユーザーが過去に自ら携帯端末装置に対して設定した所定のデータをパーソナルコンピュータ１に取得させ、このデータにより各携帯端末装置の別を認識するようにするものである。
以下、この変形例として、例えばパーソナルコンピュータ１に接続される携帯端末装置が携帯電話４０とされ、パーソナルコンピュータ１側で取得する所定の情報が、この携帯電話４０内に保持されているＥ−ｍａｉｌアドレスの情報とされる場合について説明する。
なお、この携帯電話４０の構成としては、上述もしたように図３において説明した記録再生装置２０の、ＵＳＢインターフェイス２１，暗号化／復号化・認証処理部２２、システムコントローラ２３、ＲＯＭ２３ａ、ＮＶＲＡＭ２４、操作部２５、表示部２６と同等の機能を有する部位を備える。また、これに加え、この携帯電話４０には、少なくとも携帯電話網を介した各種データ通信を行うことができる通信部と、図３に示す記録／再生部３１に相当する部位として、例えば固体メモリを内蔵したカード型の記録媒体（メモリカード）についてのデータ記録／再生が可能な記録／再生部が備えられている。
【００７７】
まず、この変形例の動作を実現するにあたっては、図５に示したステップＳ２０３の処理として、接続された携帯電話４０に対し、曲管理情報と共にＥ−ｍａｉｌアドレスの送信を要求させるようにする。そして、これに応じて携帯電話４０側において、ステップＳ３０２の処理として、自らが保持している曲管理情報と共にＥ−ｍａｉｌアドレスの情報をパーソナルコンピュータ１に対して送信させる。
その上で、パーソナルコンピュータ１側においては、このＥ−ｍａｉｌアドレスの情報を携帯電話４０に対応する名称情報として対応づけるようにする。そして、以降、ステップＳ２０７、及び図６ステップＳ４０３でディスプレイ９上に表示させるダウンロード先選択画面、及びダウンロードデータ選択画面上では、このＥ−ｍａｉｌアドレスの情報を携帯電話４０に対応する名称情報として表示させるようにするものである。
【００７８】
なお、この変形例において適用される携帯端末装置としては、携帯電話４０以外にも、インターネットを介した通信が可能であって、機器内にＥ−ｍａｉｌアドレスの情報が保持されていることが想定される携帯端末装置であれば、これに限定されない。
また、この変形例においてパーソナルコンピュータ１が取得する情報としては、Ｅ−ｍａｉｌアドレス以外にも、例えば何らかの設定を行う際にユーザー操作により携帯端末装置に入力されたユーザーＩＤ等、当該携帯端末装置内に記憶されている過去にユーザー操作により選択設定又は入力設定された情報であればこれに限定されない。或いは、取得したＥ−ｍａｉｌアドレスの情報のうち、名称情報としてドメイン名部分のみをディスプレイ９上に表示させてもよい。
【００７９】
【発明の効果】
以上で説明したように、本発明では、先ず、情報処理装置に接続される各携帯端末装置に対して、ユーザーによる設定変更が可能な名称情報を記憶させるようにしている。そして、情報処理装置側では、接続された各携帯端末装置に記憶されている名称情報を取得するようにしている。
これにより、当該情報処理装置においては、接続された各携帯端末装置に設定されている名称情報が把握されるようになり、情報処理装置においては、このように取得された名称情報の別によりダウンロード先端末を表示することが可能となる。
【００８０】
この結果、ユーザーは、情報処理装置から携帯端末装置に対してデータをダウンロードする際に、自ら設定した名称情報を元にしてダウンロード先端末を選択することができるようになり、例えば情報処理装置に接続されている携帯端末装置のうちに同機種のものがあったとしても、これらの端末を容易に区別することができるようになる。
つまり、本発明によっては、情報処理装置と携帯端末装置を接続してデータをダウンロードする際のユーザーインターフェイスとして、より分かりやすい操作性の高いものを提供することができるようになる。
【図面の簡単な説明】
【図１】本発明の実施の形態としての情報処理システムの概要を説明する図である。
【図２】実施の形態としての情報処理装置の内部構成例を示すブロック図である。
【図３】実施の形態としての携帯端末装置の内部構成例を示すブロック図である。
【図４】実施の形態の携帯端末装置において得られる名称情報入力時の処理動作を示すフローチャートである。
【図５】実施の形態の情報処理システムにおいて得られる処理動作を示すフローチャートである。
【図６】同じく実施の形態の情報処理システムにおいて得られる処理動作を示すフローチャートである。
【図７】同じく実施の形態の情報処理システムにおいて得られる処理動作を示すフローチャートである。
【図８】実施の形態の情報処理装置において表示される画面の表示例を示す図である。
【図９】同じく実施の形態の情報処理装置において表示される画面の表示例を示す図である。
【符号の説明】
１　パーソナルコンピュータ、２　ＲＯＭ、３　ＲＡＭ、４　ＣＰＵ、５　ハードディスクドライブ、５ａ　ダウンロードアプリケーション、６　入出力インターフェイス、７キーボード、８　マウス、９　ディスプレイ、１０ａ〜１０ｄ　ＵＳＢインターフェイス、２０　記録再生装置、２１　ＵＳＢインターフェイス、２２　暗号化／復号化・認証処理部、２３　システムコントローラ、２３ａ　ＲＯＭ、２４　ＮＶＲＡＭ、２５　操作部、２６　表示部、２７　ＡＴＲＡＣエンコード／デコード部、２８　バッファメモリ、２９　メモリコントローラ、３０　ＥＦＭ変調部、３１　記録／再生部、４０　携帯電話、５０　ＰＤＡ
【図１】
2004005181.tif 000003
【図２】
2004005181.tif 000004
【図３】
2004005181.tif 000005
【図４】
2004005181.tif 000006
【図５】
2004005181.tif 000007
【図６】
2004005181.tif 000008
【図７】
2004005181.tif 000009
【図８】
2004005181.tif 000010
【図９】
2004005181.tif 000011